(57)【要約】【課題】  ビデオカメラ本体でのダビングに関し、小型モニタを用いて、多彩なダビング機能を簡単操作でき、かつ、間違いなくダビングできることを課題とする。【解決手段】ビデオカメラのモニタ部を用いたダビング案内表示において、複数のダビング機能を選択可能に表示するとともに、選択されたダビング機能にてダビングされる情報に関する管理情報を並列に表示し、かつ、ダビング案内表示前に選択された管理情報と選択されたダビング機能で制限される管理情報を組合わせることで、多彩なダビング機能の簡単操作と、ダビングされる情報の同時確認を可能とする。【選択図】  図１
2008140467.tif 000002
【特許請求の範囲】
【請求項１】
ハードディスクドライブに記録された映像シーンを光ディスクドライブ部を介して光ディスクにダビングするダビング制御手段と、複数の入力元から画像情報を入力して表示するモニタ部と、前記モニタ部にダビング機能を案内表示する制御手段を具備し、
前記モニタ部に、複数のダビング機能項目と、前記複数のダビング機能から選択されたダビング機能に基づいて前記ハードディスクドライブからダビングされる映像シーンに関する管理情報の表示を前記ダビング機能の表示と同一画面上で案内表示することを特徴とする情報記録再生装置。
【請求項２】
請求項１に記載の情報記録再生装置において、
モニタ部にダビング機能の案内表示を行う前に選択された前記ハードディスクドライブ部に記録された映像シーンの管理情報と、案内表示にて選択されたダビング機能に基づく映像シーンの管理情報とを組合せた管理情報に基づいて、前記ハードディスクドライブ部からダビングされる映像シーンを決定するとともに、前記複数のダビング機能とともに前記組合せた管理情報の案内表示を行うことを特徴とする情報記録再生装置。
【請求項３】
装置本体に設けられた第一の記録装置と、装置から取外し可能な記録媒体に記録可能な第二の記録装置と、第一の記録装置に記録されている情報を第二の記録装置に装填された記録媒体にダビングするダビング制御手段と、複数の入力元から画像情報を入力して表示するモニタ部と、前記モニタ部にダビング機能を案内表示する制御手段を具備し、
前記モニタ部に、ダビング機能の案内表示を行う前に選択された第一の記録装置の情報に関する管理情報と、案内表示にて選択されたダビング機能に基づく管理情報とを組合せた管理情報に基づいて前記第一の記録装置からダビングされる情報を決定するとともに、前記複数のダビング機能とともに前記組合せた管理情報の案内表示を行うことを特徴とする情報記録再生装置。
【請求項４】
複数の情報を記録している第１の記録媒体から、その全部または一部を第２の記録媒体にダビングする情報記録再生装置であって、
ダビングする情報の選択方法が異なる複数のダビング機能を有するダビング手段と、
ダビングの際に、前記複数のダビング機能から１つを選択可能な項目と、各ダビング機能についての説明が表示される表示画面を表示手段に表示し、かつ、該表示画面を表示する前の情報の選択状態に応じて、各ダビング機能による情報の選択方法、および／または、表示される説明を変えるように制御する制御手段と、
を備えることを特徴とする情報記録再生装置。
【請求項５】
複数の映像シーンからなるプログラムが複数と、前記プログラム全てに含まれる複数の映像シーンの任意の組み合わせからなるプレイリストが複数、記録されている第１の記録媒体から、その全部または一部の映像シーンを第２の記録媒体にダビングする情報記録再生装置であって、
全プログラムに含まれる映像シーンを一覧表示する第１の表示画面と、１つのプログラムに含まれる映像シーンを一覧表示する第２の表示画面と、１つのプレイリストに含まれる映像シーンを一覧表示する第３の表示画面と、を表示する表示手段と、
ダビングモードに入る指示をするダビング指示手段と、
ダビングモードに入ると、ダビングする映像シーンの選択方法が異なる複数のダビング機能のうち１つを選択するための項目と、各ダビング機能についての説明が表示されるダビングガイド画面を表示するように制御し、さらに、前記第１、第２、第３の表示画面のいずれかを表示しているときにダビング指示手段が操作された場合、前記第１、第２、第３の表示画面のいずれを表示していたかによって、各ダビング機能についての説明が変わるように制御する制御手段と、
を備えることを特徴とする情報記録再生装置。
【請求項６】
請求項５において、
前記第１の記録媒体に記録されている映像シーンにはそれぞれ日付の情報が付されており、
前記複数のダビング機能のうち１つは、前記日付ごとに分けてダビングする機能であり、前記ダビング指示手段が操作される前に前記第１の表示画面を表示していた場合は全プログラムの中から選択した日付の映像シーンをダビングし、前記第２の表示画面を表示していた場合は表示していたプログラムの中から選択した日付の映像シーンをダビングし、前記第３の表示画面を表示していた場合は表示していたプレイリストの中から選択した日付の映像シーンをダビングすること、
を特徴とする情報記録再生装置。
【請求項７】
請求項５において、
前記第１の記録媒体に記録されている映像シーンにはそれぞれダビング済みであるか未ダビングであるかの情報が付されており、
前記複数のダビング機能のうち１つは、前記ダビング済みであるか未ダビングであるかの情報に基づき、未ダビングの映像シーンのみをダビングする機能であり、前記ダビング指示手段が操作される前に前記第１の表示画面を表示していた場合は全プログラムの中から未ダビングの映像シーンをダビングし、前記第２の表示画面を表示していた場合は表示していたプログラムの中から未ダビングの映像シーンをダビングし、前記第３の表示画面を表示していた場合は表示していたプレイリストの中から未ダビングの映像シーンをダビングすること、
を特徴とする情報記録再生装置。 
【請求項８】
複数の映像シーンを記録している第１の記録媒体から、その全部または一部を第２の記録媒体にダビングする情報記録再生装置であって、
ダビングする映像シーンの選択方法が異なる複数のダビング機能を有するダビング手段と、
ダビングの際に、前記複数のダビング機能のうち１つを選択するための項目と、各ダビング機能についての説明が表示されるダビングガイド画面を表示手段に表示するように制御し、さらに、複数のダビング機能のうちの１つである、ダビングする映像シーンをユーザーが選択するダビング機能が選択された場合であって、前記ダビングガイド画面が表示される前に映像シーンの選択がされていないときは、ダビングする映像シーンが選択されていない状態からユーザーがダビングする映像シーンを選択し、前記ダビングガイド画面が表示される前に映像シーンの選択がされているときは、該選択されている映像シーンがダビングする映像シーンとして予め選択されている状態からユーザーがダビングする映像シーンをさらに選択するように制御する制御手段と、
を備えることを特徴とする情報記録再生装置。
【請求項９】
請求項８において、
前記第１の記録媒体に記録されている映像シーンにはそれぞれ日付の情報が付されており、
前記複数のダビング機能のうち１つは、前記日付ごとに分けてダビングする機能であること、
を特徴とする情報記録再生装置。
【請求項１０】
請求項８において、
前記第１の記録媒体に記録されている映像シーンにはそれぞれダビング済みであるか未ダビングであるかの情報が付されており、
前記複数のダビング機能のうち１つは、前記ダビング済みであるか未ダビングであるかの情報に基づき、未ダビングの映像シーンのみをダビングする機能であること、
を特徴とする情報記録再生装置。
【請求項１１】
請求項１ないし１０のいずれかにおいて、前記第１の記録媒体はハードディスクであり、前記第２の記録媒体はＤＶＤであることを特徴とする情報記録再生装置。
【発明の詳細な説明】
【技術分野】
【０００１】
本発明は、情報記録再生装置に関する。
【背景技術】
【０００２】
本技術分野の背景技術として、例えば、特開２００５−３１８１８６号公報（特許文献１）がある。該公報には、課題として「操作が煩雑になることなく、映像再生装置の映像の所望の場面をダビングすることが可能な映像記録装置を提供する。」と記載されており、解決手段として、「ＨＤＤレコーダが、接続されたテレビのモニタに表示させるダビング画面Ｇ２に、映像を表示するウインドウＷ１と、ＨＤＤレコーダのＨＤＤへの映像の記録動作をコントロールするためのＨＤＤ用操作キーＸ２〜Ｘ４と、ＨＤＤレコーダにＩＥＥＥ１３９４インターフェイスにより接続されたＤＶカムコーダの映像の再生動作をコントロールするためのＤＶ用操作キーＹ１〜Ｙ５を設ける。ＨＤＤレコーダのリモコンによりＤＶ用操作キーＹ１〜Ｙ５が操作されると、制御信号をＤＶカムコーダに送信してＤＶカムコーダの再生動作を制御する。ＤＶカムコーダから再生された映像が入力されると、当該映像をウインドウＷ１に表示させ、この状態でリモコンにより録画キーＸ４が操作されると、入力映像をＨＤＤにダビングする。」と記載されている（要約参照）。
【０００３】
また、例えば、特開２００６−８０８９０号公報（特許文献２）がある。該公報には、課題として「ＨＤＤに記録した映像音声情報の数が多くなるときにも、捜す手間の増加を招くことなく、所望する映像音声情報をディスクにダビングする。」と記載されており、解決手段として、「装置側記録媒体３に記録された映像音声情報を、記録媒体ドライブ部２を介して取出可能記録媒体１７にダビングするダビング制御手段１２と、映像音声情報に対応付けられた参照用情報を参照することによって、入力された検索条件に該当する映像音声情報を検索する検索表示手段１１とを備えた構成において、検索表示手段１１は検索条件の入力の受け付けを行うとともに入力された検索条件に該当する映像音声情報を検索してダビング対象に設定し、ダビング制御手段１２は検索表示手段１１によりダビング対象に設定された映像音声情報を取出可能記録媒体１７にダビングする。」と記載されている（要約参照）。
【０００４】
また、例えば、特開２００５−１７５６１６号公報（特許文献３）がある。該公報には、課題として「高齢者や操作に不慣れなユーザにに対して、使い勝手の良いメニュー表示を行うようにすること。」と記載されており、解決手段として「複数の階層によって所定数の機能を表示する第１メニューと、単階層によって第１メニューの数より少ない所定数の機能を表示するための第２メニューとが、ユーザによって選択可能とされ、第２メニューによる表示の際には、単階層構成で第２メニューによる各機能の項目を１画面で表示する。」と記載されている（要約参照）。
【０００５】
【特許文献１】特開２００５−３１８１８６号公報
【特許文献２】特開２００６−８０８９０号公報
【特許文献３】特開２００５−１７５６１６号公報
【発明の開示】
【発明が解決しようとする課題】
【０００６】
情報記録装置の１つにビデオカメラがある。ビデオカメラの記録方式は、従来のＤＶテープドライブからハードディスクドライブ(ＨＤＤ)あるいはＤＶＤ光ディスクドライブ(ＤＶＤ)へと急速に移行しつつある。しかし、ＨＤＤ方式のカメラの場合、長時間の連続録画を実現する利点がある反面、パーソナルコンピュータやハードディスク搭載ＤＶＤレコーダでの編集機能を必要とする為、編集の使い辛さを敬遠する方も多い。一方、ＤＶＤ方式のカメラの場合は、ＤＶＤプレーヤでそのまま再生できる手軽さが便利である反面、録画時間が片面３０分であり、ＨＤＤ方式のカメラよりも短い。
【０００７】
これに対し、最近、ＨＤＤとＤＶＤの両方を搭載して両方式の長所を生かしたハイブリッドビデオカメラが開発されており、ＨＤＤドライブとＤＶＤドライブを搭載することで映像ケーブルの接続やパソコン等を使用しなくてもＨＤＤに撮りためた映像を簡単にＤＶＤにダビングすることができるようにしている。ダビングしたＤＶＤはＤＶＤプレーヤで手軽に再生でき、あるいは、撮影直後にダビングしたＤＶＤを友人や親戚等に手渡したり、郵送したりすることが可能となり、ビデオカメラの楽しみ方を広げている。
【０００８】
このようなハイブリッドビデオカメラのダビング機能として、全ての映像シーンを一気にダビングする機能や、サムネイル表示された編集画面からダビングしたい映像シーンを選択してダビングを行う機能を備えることで、使い勝手が向上する。また、ダビング機能を多機能化して、さらに使い勝手を優れたものにすることも重要である。
【０００９】
例えば、長期間の旅行等で様々な映像を撮影した後、多数の映像の中から、全てのシーンをＤＶＤディスクにダビングする機能の他、旅行の日付単位のダビング機能、あるいは、一度ダビングした映像を割愛したダビング機能等、ハイブリッドビデオカメラ本体で多彩なダビング操作を簡単に行うことができれば、さらに使い勝手が優れたものになる。
【００１０】
従来のビデオカメラのダビングは、ビデオカメラ内の映像記録情報をパソコンやハードディスク搭載ＤＶＤレコーダのハードディスクに取り込んで、パソコンやハードディスク搭載ＤＶＤレコーダの編集機能を用いて、テレビ画面上に表示しながらＤＶＤにダビングを行っており、ビデオカメラ本体にはダビング機能を持ち合わせていない。
【００１１】
また、ハードディスク搭載ＤＶＤレコーダの編集ダビング機能は、テレビ画面に表示して機能操作を行っており、例えば、特許文献１(特開２００５−３１８１８６公報)は、テレビ画面に表示されるダビング画面に、映像を表示するウィンドウと、ＨＤＤへの記録動作をコントロールする為の操作キーとビデオカメラの再生動作をコントロールする操作キーを表示し、リモコンを用いてビデオカメラの再生映像をウィンドウに表示しながらＨＤＤへのダビング操作を行う技術を開示している。特許文献２(特開２００６−８０８９０公報)は、テレビ画面上に、タイトル、記録日時、過去のダビング履歴等を項目表示して、ユーザーがリモコン等を用いてダビングを行う項目を選択する技術を開示している。
【００１２】
更に、ビデオカメラは、常時使用するものではなく、運動会のようなイベントや旅行の時だけに使用するといったケースが多く、誰もがわかり易く、簡単操作できて間違うことのないダビング機能が求められている。ビデオカメラの操作性を改良する例として、例えば、特許文献３(特開２００５−１７５６１６公報)には、ビデオカメラのカメラ機能に対して、通常の詳細設定メニューとは別に頻繁に使用する簡単設定メニューを設ける技術を開示している。
【００１３】
ところが、携帯性が要求されるビデオカメラ本体は、手のひらサイズの小型なものであり、ビデオカメラに搭載するモニタは２〜３インチ程度で、テレビ画面とは比べ物にならない程小さく、従来のテレビ画面を用いたダビング機能表示は不可能である。
【００１４】
また、様々な機能を盛り込んだビデオカメラに、更にダビング機能を追加することから、ダビング操作性はできるだけ簡単にしたく、詳細設定メニューと機能を限定した簡単メニューを設けるといった方法ではなく、簡単で操作性に優れたものを必要としている。
【００１５】
例えば、ビデオカメラの小型モニタを用いて、多機能のダビングを、誰にでも簡単に操作でき、かつ、間違ってダビングしてしまうことのないダビングガイド機能が備われば、ビデオカメラの使い勝手は向上する。
【００１６】
本発明は、情報記録再生装置の使い勝手向上を目的とする。
【課題を解決するための手段】
【００１７】
本発明のある一面の概要は、上記目的を達成するため、複数の情報を記録している第１の記録媒体から、その全部または一部を第２の記録媒体にダビングする情報記録再生装置において、ダビングする情報の選択方法が異なる複数のダビング機能を備え、ダビングの際には、複数のダビング機能から１つを選択可能な項目と、各ダビング機能についての説明が表示される表示画面を表示し、かつ、該表示画面を表示する前に情報が選択されている場合には、情報の選択状態に応じて、各ダビング機能による情報の選択方法と、表示される説明を変える構成とする。
【００１８】
詳細には、上記目的を達成するため、本発明は、特許請求の範囲に記載の構成とする。
【発明の効果】
【００１９】
本発明によれば、情報記録再生装置の使い勝手が向上する。
【００２０】
上記以外の課題、構成および効果は、以下の実施形態の説明により明らかにされる。
【発明を実施するための最良の形態】
【００２１】
以下、本発明の実施の形態について、図面を用いて詳細に説明する。
【実施例１】
【００２２】
１.構成概要
図１は、本発明の一実施例を示すビデオカメラの本発明に関係する部分の構成を示すブロック図である。
【００２３】
ビデオカメラの図示しないフォーカスレンズを通じて取り込まれた映像は、ＣＣＤ（Charge Coupled Devices）１にて電気信号に変換され、更にデジタル信号に変換される。
【００２４】
ＣＣＤ１から出力されるデジタル映像信号は、ＯＳＤ２により文字情報等が重畳され、液晶ディスプレイ（ＬＣＤ；Liquid Crystal Display）７に送られ撮影中の映像を表示する。
【００２５】
また、ＣＣＤ１から出力されるデジタル映像信号は、符号化処理部３にも送られ、動画の場合には例えばＭＰＥＧ２（Moving Picture Experts Group 2）方式で圧縮、符号化された後、選択されているモードに応じて、第１の記録部であるＨＤＤ（Hard Disc Drive）４において記録される。また、ユーザーからの各種操作や情報入力に基づいて、ＨＤＤに記録された映像データをコピーまたはムーブして、第２の記録部であるＤＶＤ（Digital Versatile Disc Drive）５にダビングを行う。なお、コピーとは、ダビングした映像データがＨＤＤに残り、ムーブとは、ダビングした映像データがＨＤＤに残らないダビング方法である。
【００２６】
また、ＨＤＤ４に記録されている圧縮されたデジタル映像信号は、復号化処理部６によって復号化され、再生画像やサムネイルなどをＯＳＤ２に表示される。
【００２７】
ビデオカメラ全体の制御は、システム制御部８で行っており、ユーザーからの各種操作や情報入力は操作部９により行い、操作部９は、ダビングボタン１１、決定ボタン１２、上下左右キー１３から構成され、
本実施例では、ＨＤＤ４は１インチで記録容量は８ＧＢ、ＤＶＤ５は８ｃｍディスクで記録容量は１．４ＧＢである。
【００２８】
図２は、図１に示す本発明のビデオカメラの外観図である。ビデオカメラの本体は、手のひらに乗る程度の小型なものであり、図２（ａ）に横正面図、図２（ｂ）に後方斜視図を示す。図２のＬＣＤ７と操作部９は図１のＬＣＤ７と操作部９に対応し、ユーザーはＬＣＤ７の表示を見ながら操作部９の操作を行う。
【００２９】
図３は、本実施例のＨＤＤ４に記録している映像データと各シーンの管理情報をイメージ化して表現している。管理情報には、各映像シーン２４に対応する日付情報２１、ダビング済or未の情報２２、プレイリスト情報２３がある。
例えば、シーンＡは、記録した日付2006/11/22、ダビング済み、プレイリスト１に記録しており、シーンＢは、記録した日付は2006/11/22、未ダビング、プレイリスト記録が無いことを表す。
２．ダビングガイドについて
ユーザーが、操作部９のダビングボタン１１を押すと、ＬＣＤ７にダビングガイド画面が表示される。図４は、ダビングガイド画面であり、タイトルバー３１、ダビング機能を表す項目３２、各ダビング機能の説明をするダビングシーン表示３３から構成される。ダビング機能として次の４種類があり、それぞれダビングする映像シーンの選択方法が異なっている。ダビングガイド画面において、すべてのシーンをダビングする全シーンダビングを[まるごと]と、ユーザーがダビングするシーンを選択するシーン選択ダビングを[選んで]と、ユーザーが選択した日付のシーンをダビングする日付選択ダビングを[日にちで]と、まだダビングされていない未ダビングのシーンをダビングする未ダビングシーンダビングを[未ダビング]と表示している。また、各ダビング機能にカーソルを合わせると、ダビングシーン表示３３には、そのダビング機能で実施されるダビングシーン内容の説明が示される。
【００３０】
ここでは、ダビング機能３２として[まるごと] にカーソルを合わせて、ダビングシーン表示３３が「プレイリスト内のすべてのシーンをダビングします。」であることを示している。
【００３１】
更に、ダビングボタン１１を操作する前のＬＣＤ７の表示に基づいて、ダビングガイド画面４種類のダビング機能でダビングされるシーンの選択範囲を変えることができ、ダビングガイド画面でダビングシーンを確認できるようにしている。
【００３２】
図５は、ダビングボタン操作前のＬＣＤ７の表示状態を表す＜選択Ａ＞と、ダビングボタン操作後のＬＣＤ７の表示状態を表す＜選択Ｂ＞の組合せた場合のダビング機能をユーザの操作の流れに沿って模式的に表現した図であり、図５（ａ）と図５（ｂ）を用いて、具体的に説明する。
【００３３】
図５（ａ）の＜選択Ａ＞は、ダビングボタン１１を押す前のＬＣＤ１７の画面が「全プログラム」、「プログラム」、「プレイリスト」であることを示している。なお、撮影して記録された映像シーンは、所定の単位でまとめて管理され、１つの「プログラム」を構成する。例えば、同一の日付に撮影記録された映像シーンを１つの「プログラム」として管理する。但し、同一の日付に撮影記録された映像シーンが所定の数を越えた場合には、２つ以上の「プログラム」として管理することもある。また、「全プログラム」とは、ビデオカメラ内の全ての「プログラム」を指す。また、「プレイリスト」とは、任意の映像シーンの組み合わせで構成されている。そして、＜選択Ｂ＞は、ダビングボタン１１を押してＬＣＤがダビングガイド画面となったときに表示される「まるごと」、「選んで」、「日にちで」、「未ダビング」という４種類のダビング機能を示し、＜選択Ａ＞と＜選択Ｂ＞の操作に基づいてダビングを実行する。
【００３４】
図５（ｂ）は、ダビングガイドのダビングシーン表示３３が＜選択Ａ＞と＜選択Ｂ＞の組合せで切替ることを表現した図である。＜選択Ａ＞で、「全プログラム」では何の表示もなく、「プログラム」では「プログラム内の」、「プレイリスト」では「プレイリスト内の」をダビングシーン表示３３の一部として選択し、更に、＜選択Ｂ＞で、「まるごと」では「すべてのシーンを」、「選んで」では「選択したシーンを」、「日にちで」では「選択した日付のシーンを」、「未ダビング」では「未ダビングのシーンを」をダビングシーン表示３３に加えることを表現している。
【００３５】
例えば、ＬＣＤ７に「選択Ａ」に示すプレイリストを表示している状態でダビングボタン１１を押してＬＣＤ７のダビングガイド画面とし、＜選択Ｂ＞に示すダビング機能「まるごと」にカーソルを合わせると、ダビングシーン表示３３「Ａ＋Ｂダビングします」は、＜選択Ａ＞から「プレイリスト内の」、＜選択Ｂ＞から「すべてのシーンを」を組合せて、「プレイリスト内のすべてのシーンをダビングします」と表示する。
【００３６】
このように、ユーザーは、ダビング実行前にダビングシーン表示３３を確認することで間違ったシーンをダビングする誤動作を防止することができる。
【００３７】
以下、本発明における各ダビング機能とダビングされるシーンの関係について、ダビングガイド画面表示を用いて説明する。
【００３８】
図６〜図１７は、＜選択Ａ＞と＜選択Ｂ＞を組合せたダビング機能と、その機能におけるダビングシーン、及び、ダビングガイド画面におけるダビングシーン表示３３を示している。
(1) まるごと
図６は、ＬＣＤ７にて全プログラム表示（プログラム／プレイリストでの全シーンを表示）の後、ダビングボタン１１を押した場合のＬＣＤ７のダビングガイド画面にて「まるごと」にカーソルを合わせた時のダビングされるシーン内容を説明する図である。
【００３９】
図６（ａ）は、ダビングガイド画面にて「まるごと」にカーソルを合わせた時、ダビングシーン表示３３が「すべてのシーンをダビングします。」と表示されていることを示す。この場合、「まるごと」（全シーンダビング）とは、ＨＤＤ４内のシーンを先頭から順番に、ダビング済／未ダビングにかかわらず、ＤＶＤ５へダビングするというダビング方法である。
【００４０】
図６（ｂ）は、ダビングシーン表示３３が「すべてのシーンをダビングします。」と表示されている場合のＨＤＤ４からＤＶＤ５にダビングされるシーン内容を模式的に表現しており、ＨＤＤ４に記録されている全プログラムから管理情報、映像データのすべてのシーンをＤＶＤ５にダビングすることを表す。
【００４１】
図７は、ＬＣＤ７にてプログラム表示（ＨＤＤ４内のひとつのプログラムにおけるすべてのシーンを表示）の後、ダビングボタン１１を押した場合のＬＣＤ７のダビングガイド画面にて「まるごと」にカーソルを合わせた時のダビングされるシーン内容を説明する図である。
【００４２】
図７（ａ）は、ダビングガイド画面にて「まるごと」にカーソルを合わせた時、ダビングシーン表示３３が「プログラム内のすべてのシーンをダビングします。」と表示されていることを示す。
【００４３】
図７（ｂ）は、ダビングシーン表示３３が「プログラム内のすべてのシーンをダビングします。」と表示されている場合のＨＤＤ４からＤＶＤ５にダビングされるシーン内容を模式的に表現しており、ＨＤＤ４のひとつのプログラムでのすべてのシーンをＤＶＤ５にダビングすることを表す。具体的には、日付が２００６年１１月２２日で同じである１つのプログラムに含まれる全てのシーン、すなわち、シーンＡとシーンＢをダビングする。
【００４４】
図８は、ＬＣＤ７にてプレイリスト表示（ＨＤＤ４内のプレイリストでのひとつのプログラムにおけるすべてのシーンを表示）の後、ダビングボタン１１を押した場合のＬＣＤ７のダビングガイド画面にて「まるごと」にカーソルを合わせた時のダビングされるシーン内容を説明する図である。
【００４５】
図８（ａ）は、ダビングガイド画面にて「まるごと」にカーソルを合わせた時、ダビングシーン表示３３が「プレイリスト内のすべてのシーンをダビングします。」と表示されることを示す。
【００４６】
図８（ｂ）は、ダビングシーン表示３３が「プレイリスト内のすべてのシーンをダビングします。」と表示されている場合のＨＤＤ４からＤＶＤ５にダビングされるシーン内容を模式的に表現しており、ＨＤＤ４のプレイリストのすべてのシーンをＤＶＤ５にダビングすることを表す。
(2) 選んで
図９は、ＬＣＤ７にて全プログラム表示（プログラム／プレイリストでの全シーンを表示）の後、ダビングボタン１１を押した場合のＬＣＤ７のダビングガイド画面にて「選んで」にカーソルを合わせた時のダビングされるシーン内容を説明する図である。
【００４７】
図９（ａ）は、ダビングガイド画面にて「選んで」にカーソルを合わせた時、ダビングシーン表示３３が「選択したシーンをダビングします。」と表示されていることを示す。「選んで」（シーン選択ダビング）とは、ＨＤＤ４内のシーンを選択し、その選択シーンだけをＤＶＤ５へダビングするというダビング方法である。「選んで」にカーソルが合っている状態で決定ボタン１２を押すと、ＬＣＤ７は図１８のシーン選択画面に切替り、ナビが表示されユーザーが上下左右キー１３を使いシーンを選択する。１０１はＨＤＤ４に記録されているシーンのサムネイルで、１０２はカーソル位置を示すマーク、１０３は選択済みを示すマークである。
【００４８】
図９（ｂ）は、ダビングシーン表示３３が「選択したシーンをダビングします。」と表示されている場合のＨＤＤ４からＤＶＤ５にダビングされるシーン内容を模式的に表現する図であり、ＨＤＤ４に記録されている全プログラムから図１８のシーン選択画面で選択された選択情報に基づいてＤＶＤ５にダビングすることを表す。
【００４９】
図１０は、ＬＣＤ７にてプログラム表示（ＨＤＤ４内のひとつのプログラムにおけるすべてのシーンを表示）の後、ダビングボタン１１を押した場合のＬＣＤ７のダビングガイド画面と、ダビングガイド画面にて「選んで」にカーソルを合わせた時のダビングされるシーン内容を示す。
【００５０】
図１０（ａ）は、ダビングガイド画面にて「選んで」にカーソルを合わせた時、ダビングシーン表示３３が「プログラム内の選択したシーンをダビングします。」と表示されていることを示す。
【００５１】
図１０（ｂ）は、ダビングシーン表示３３が「プログラム内の選択したシーンをダビングします。」と表示されている場合のＨＤＤ４からＤＶＤ５にダビングされるシーン内容を模式的に表現する図であり、ＨＤＤ４に記録されているひとつのプログラムから図１８のシーン選択画面で選択された選択情報に基づいてＤＶＤ５にダビングすることを表す。
【００５２】
図１１は、ＬＣＤ７にてプレイリスト表示（ＨＤＤ４内のプレイリストでのひとつのプログラムにおけるすべてのシーンを表示）の後、ダビングボタン１１を押した場合のＬＣＤ７のダビングガイド画面にて「選んで」にカーソルを合わせた時のダビングされるシーン内容を示す。
【００５３】
図１１（ａ）は、ダビングガイド画面にて「選んで」にカーソルを合わせた時、ダビングシーン表示３３が「プレイリスト内の選択したシーンをダビングします。」と表示されていることを示す。
【００５４】
図１１（ｂ）は、ダビングシーン表示３３が「プレイリスト内の選択したシーンをダビングします。」と表示されている場合のＨＤＤ４からＤＶＤ５にダビングされるシーン内容を模式的に表現する図であり、ＨＤＤ４のプレイリストから図１８のシーン選択画面で選択された選択情報に基づいてＤＶＤ５にダビングすることを表す。
【００５５】
なお、ダビングボタン１１を押す前であって、全プログラム／プログラム／プレイリストにて、それぞれ該当するシーンが表示されているときに、ダビングするシーンを選択し、その後ダビングボタン１１を押して、ダビングガイド画面を表示させることもできる。この場合において、「選んで」を選択すると、図１８のシーン選択画面において、ダビングボタン１１を押す前に選択したシーンが予め選択された状態から、シーンの選択を開始することができる。この場合、ダビングボタン１１を押す前にシーンを選択したことにより生成される選択情報を記憶しておき、ダビングガイド画面で「選んで」が選択されたとき、この選択情報を読み出すことによって、実現される。
(3) 日にちで
図１２は、ＬＣＤ７にて全プログラム表示（プログラム／プレイリストでの全シーンを表示）の後、ダビングボタン１１を押した場合のＬＣＤ７のダビングガイド画面と、ダビングガイド画面にて「日にちで」にカーソルを合わせた時のダビングされるシーン内容を示す。
【００５６】
図１２（ａ）は、ダビングガイド画面にて「日にちで」にカーソルを合わせた時、ダビングシーン表示３３が「選択した日付のシーンをダビングします。」と表示されていることを示す。「日にちで」（日付選択ダビング）とは、ダビングしたい日付をユーザーが選択し、その後、その日付のシーンを全シーンダビングするダビング方法である。
【００５７】
「日にちで」にカーソルが合っている状態で決定ボタン１２を押すと、ＬＣＤ７は図１９の日付選択画面に切替り、ダビングモードに入る直前に表示していたプログラム／プレイリストごとの日付がリスト表示された日付選択画面に移行し、ユーザーが上下左右キー１３を使って日付を選択する。１１２はカーソル位置を示すマークで、１１３は日付のリストである。１１１はカーソル位置にある日付の先頭シーンのサムネイルである。
【００５８】
図１２（ｂ）は、ダビングシーン表示３３が「選択した日付のシーンをダビングします。」と表示されている場合のＨＤＤ４からＤＶＤ５にダビングされるシーン内容を模式的に表現しており、図１９の日付選択画面にて選択した日付に基づいてＨＤＤ４ひとつのプログラムでの日付ごとのシーンをＤＶＤ５にダビングすることを表す。ここでは、２００６年１２月１０日が選択され、この日にちに記録されたシーンＣ，Ｄ，Ｅがダビングされる。
【００５９】
図１３は、ＬＣＤ７にてプログラム表示（ＨＤＤ４内のひとつのプログラムにおけるすべてのシーンを表示）の後、ダビングボタン１１を押した場合のＬＣＤ７のダビングガイド画面にて「日にちで」にカーソルを合わせた時のダビングされるシーン内容を示す。
【００６０】
図１３（ａ）は、ダビングガイド画面にて「日にちで」にカーソルを合わせた時、ダビングシーン表示３３が「プログラム内の選択した日付のシーンをダビングします。」と表示されていることを示す。
【００６１】
図１３（ｂ）は、ダビングシーン表示３３が「プログラム内の選択した日付のシーンをダビングします。」と表示されている場合のＨＤＤ４からＤＶＤ５にダビングされるシーン内容を模式的に表現しており、ＨＤＤ４に記録されているひとつのプログラムにて図１９の日付選択画面で選択された日付に基づいてＤＶＤ５にダビングすることを表す。
【００６２】
図１４は、ＬＣＤ７にてプレイリスト表示（ＨＤＤ４内のプレイリストでのひとつのプログラムにおけるすべてのシーンを表示）の後、ダビングボタン１１を押した場合のＬＣＤ７のダビングガイド画面にて「日にちで」にカーソルを合わせた時のダビングされるシーン内容を示す。
【００６３】
図１４（ａ）は、ダビングガイド画面にて「日にちで」にカーソルを合わせた時、ダビングシーン表示３３が「プレイリスト内の選択した日付のシーンをダビングします。」と表示されていることを示す。
【００６４】
図１４（ｂ）は、ダビングシーン表示３３が「プレイリスト内の選択した日付のシーンをダビングします。」と表示されている場合のＨＤＤ４からＤＶＤ５にダビングされるシーン内容を模式的に表現しており、ＨＤＤ４のプレイリストから図１９の日付選択画面で選択された日付に基づいてＤＶＤ５にダビングすることを表す。
(4) 未ダビング
図１５は、ＬＣＤ７にて全プログラム表示（プログラム／プレイリストでの全シーンを表示）の後、ダビングボタン１１を押した場合のＬＣＤ７のダビングガイド画面にて「未ダビング」にカーソルを合わせた時のダビングされるシーン内容を示す。
【００６５】
図１５（ａ）は、ダビングガイド画面にて「未ダビング」にカーソルを合わせた時、ダビングシーン表示３３が「未ダビングのシーンをダビングします。」と表示されていることを示す。「未ダビング」（未ダビングシーンダビング）とは、ダビングモードに入る直前に表示していた全プログラム／プログラム／プレイリストでの未ダビングシーンをダビングするものである。
【００６６】
図１５（ｂ）は、ダビングシーン表示３３が「未ダビングのシーンをダビングします。」と表示されている場合のＨＤＤ４からＤＶＤ５にダビングされるシーン内容を模式的に表現しており、未ダビングシーンダビングの場合、映像データの管理情報にあるダビング済み情報によって、ＨＤＤ４内の全プログラムの未ダビングシーンをＤＶＤ５にダビングすることを表す。
【００６７】
図１６は、ＬＣＤ７にてプログラム表示（ＨＤＤ４内のひとつのプログラムにおけるすべてのシーンを表示）の後、ダビングボタン１１を押した場合のＬＣＤ７のダビングガイド画面にて「未ダビング」にカーソルを合わせた時のダビングされるシーン内容を示す。
【００６８】
図１６（ａ）は、ダビングガイド画面にて「未ダビング」にカーソルを合わせた時、ダビングシーン表示３３が「プログラム内の選択した日付のシーンをダビングします。」と表示されていることを示す。
【００６９】
図１６（ｂ）は、ダビングシーン表示３３が「プログラム内の未ダビングのシーンをダビングします。」と表示されている場合のＨＤＤ４からＤＶＤ５にダビングされるシーン内容を模式的に表現する図であり、ＨＤＤ４内のひとつのプログラムの未ダビングシーンをＤＶＤ５にダビングすることを表す。
【００７０】
図１７は、ＬＣＤ７にてプレイリスト表示（ＨＤＤ４内のプレイリストでのひとつのプログラムにおけるすべてのシーンを表示）の後、ダビングボタン１０１を押した場合のＬＣＤ７のダビングガイド画面と、ダビングガイド画面にて「未ダビング」にカーソルを合わせた時のダビングされるシーン内容を示す。
【００７１】
図１７（ａ）は、ダビングガイド画面にて「未ダビング」にカーソルを合わせた時、ダビングシーン表示３３が「プレイリスト内の未ダビングのシーンをダビングします。」と表示されていることを示す。
【００７２】
図１７（ｂ）は、ダビングシーン表示３３が「プレイリスト内の未ダビングのシーンをダビングします。」と表示されている場合のＨＤＤ４からＤＶＤ５にダビングされるシーン内容を模式的に表現しており、ＨＤＤ４のプレイリストの未ダビングシーンをＤＶＤ５にダビングすることを表す。
【実施例２】
【００７３】
また、ダビングガイド機能を用いないで、ナビ画面から選択したシーンを直接ダビングする切替機能を追加することも可能である。
【００７４】
図２０は、ＬＣＤ７に複数のシーンがサムネイルで表示されたナビ画面から選択したシーンを直接ダビングする例を示す。
【００７５】
図２０（ａ）は、複数のシーンがサムネイルで表示されたナビ画面であり、シーンごとのサムネイル１２１、サムネイル上にあるカーソル１２２、選択済みのサムネイル１２３、どのナビ画面であるかを表示するタイトルバー１２４から構成されている。ここで、ユーザーが、ダビングボタンを押す前にあらかじめ複数のシーン選択していた状態でダビングボタンを押すと、図２０（ｂ）のように「選択したシーンをダビングします」と、ユーザーにわかりやすいメッセージを表示し、実施例１で示したダビングガイドは表示されずに直接ダビング開始となる。
【００７６】
以上のとおり、各実施例によれば、ハードディスクドライブと光ディスクドライブを搭載するビデオカメラ本体のダビングにおいて、多彩なダビング機能の簡単操作と、ダビングされる情報の確認を同時に行うことができ、使い勝手に優れたビデオカメラを提供できる。特に、ダビングするシーンを選択する範囲が、ダビングボタンの操作前における表示（全プログラム／プログラム／プレイリスト）に対応しているのでユーザーに分かりやすく、かつ、その範囲をダビングガイド画面にて表示して説明するので、誤操作を防止することができる。さらに、多彩なダビング機能を有しているが、各ダビング機能について、ダビングガイド画面にて説明するので、この点においてさらに、誤操作を防止することができる。
【００７７】
以上の実施例では、撮像素子はＣＣＤとして記載しているが、ＣＭＯＳ（Complementary Metal Oxide Semiconductor）センサなどの撮像素子でもよい。
【００７８】
以上の実施例では、映像表示部をＬＣＤとして記載しているが、ＥＶＦ（Electric View Finder）や、ＥＬＤ（Electro Luminescence Display）などＬＣＤ以外のディスプレイであってもよい。
【００７９】
以上の実施例では、ダビングはＨＤＤからＤＶＤのダビングのみを記載しているが、ＤＶＤからＨＤＤ、もしくは他のメディア同士でも構わない。
【００８０】
以上の実施例では、ダビングガイドの下にある説明文を、ダビングモードに入る直前に表示していたプログラム／プレイリストによって変えて表示をしていたが、ダビングガイドの説明文でなくタイトルバーに表示してもよい。
【図面の簡単な説明】
【００８１】
【図１】本発明におけるビデオカメラの構成を示すブロック図である。
【図２】（ａ）は、本発明におけるビデオカメラの横正面図である。（ｂ）は、本発明におけるビデオカメラの斜視図である。
【図３】ハードディスクに記録されている映像データとその管理情報をイメージ表現した図である。
【図４】本発明におけるダビングガイドのダビングモード選択画面である。
【図５】（ａ）ダビングに関係するダビングボタン操作前後のモニタ表示と、ダビングボタン操作との関係を模式的に表現した図である。（ｂ）ダビングに関係するダビングボタン操作前後のモニタ表示と、ダビングシーン表示の関係を模式化した図である。
【図６】(まるごと)と(全プログラム)を組合せたときのダビングシーンを表現した図である。
【図７】(まるごと)と(プログラム)を組合せたときのダビングシーンを表現した図である。
【図８】(まるごと)と(プレイリスト)とを組合せたときのダビングシーンを表現した図である。
【図９】(選んで) と(全プログラム)を組合せたときのダビングシーンを表現した図である。
【図１０】(選んで) と(プログラム)を組合せたときのダビングシーンを表現した図である。
【図１１】(選んで)と(プレイリスト)を組合せたときのダビングシーンを表現した図である。
【図１２】(日にちで)と(全プログラム)を組合せたときのダビングシーンを表現した図である。
【図１３】(日にちで)と(プログラム)を組合せたときのダビングシーンを表現した図である。
【図１４】(日にちで)と(プレイリスト)を組合せたときのダビングシーンを表現した図である。
【図１５】(未ダビング)と(全プログラム)を組合せたときのダビングシーンを表現した図である。
【図１６】(未ダビング)と(プログラム)を組合せたときのダビングシーンを表現した図である。
【図１７】(未ダビング)と(プレイリスト)を組合せたときのダビングシーンを表現した図である。
【図１８】本発明におけるダビングガイドのダビング(シーン選択)画面である。
【図１９】本発明におけるダビングガイドの日付選択画面である。
【図２０】本発明におけるナビ画面からシーン選択を行っている画面（ａ）と、ダビングボタン操作後の画面表示である。
【符号の説明】
【００８２】
１  ＣＣＤ
２  ＯＳＤ
３  符号化処理部
４  ハードディスクドライブ
５  ＤＶＤ光ディスクドライブ
６  複合化処理部
７  液晶ディスプレイ
８  システム制御部
９  操作部
１１  ダビングボタン
１２  決定ボタン
１３  上下左右キー
２１  日付情報
２２  ダビング済or未の情報
２３  プレイリスト情報
２４  映像シーン
３１  タイトルバー
３２  ダビング機能
３３ダビングシーン表示
【図１】
2008140467.tif 000003
【図２】
2008140467.tif 000004
【図３】
2008140467.tif 000005
【図４】
2008140467.tif 000006
【図５】
2008140467.tif 000007
【図６】
2008140467.tif 000008
【図７】
2008140467.tif 000009
【図８】
2008140467.tif 000010
【図９】
2008140467.tif 000011
【図１０】
2008140467.tif 000012
【図１１】
2008140467.tif 000013
【図１２】
2008140467.tif 000014
【図１３】
2008140467.tif 000015
【図１４】
2008140467.tif 000016
【図１５】
2008140467.tif 000017
【図１６】
2008140467.tif 000018
【図１７】
2008140467.tif 000019
【図１８】
2008140467.tif 000020
【図１９】
2008140467.tif 000021
【図２０】
2008140467.tif 000022